(57)【要約】【課題】  ホスト機器に装着した状態で、複数のＩＣメモリのうち選択されているＩＣメモリを容易に認識できるようにする。【解決手段】  メモリカード１には、第１のＩＣメモリ１２-１と第２のＩＣメモリ１２-２が設けられており、上記第１のＩＣメモリ１２-１には、予め、静止画像ディレクトリ２２、音声ディレクトリ２３、音楽ディレクトリ２４、テキストディレクトリ２５、メモリＡ認識ディレクトリ２６が記録されている。また、各ディレクトリには、メモリＡ認識静止画像ファイル２２-Ａ、メモリＡ認識音声ファイル２３-Ａ、メモリＡ認識音楽ファイル２４-Ａ、メモリＡ認識テキストファイル２５-Ａが記録されている。ユーザはホスト機器を操作することにより、例えば、上記第１のＩＣメモリ１２-１に記録されたメモリＡ認識静止画像ファイル２２-Ａを参照することができる。【選択図】  図５
2004326733.tif 000002
【特許請求の範囲】
【請求項１】
ホスト機器に対して着脱自在に取り付けられるリムーバブルなデータ記憶装置において、
ホスト機器から取り外された状態であっても記憶しているデータが消去されない複数の不揮発性メモリ手段と、
ユーザにより切換操作がされ、１つの上記不揮発性メモリ手段を選択する選択スイッチと、
上記ホスト機器に装着されているときに当該ホスト機器との間でデータの送受信を行うインタフェース部と、
上記インタフェース部を介して送信されたデータに基づき動作するとともに、上記選択スイッチにより選択された１つの不揮発性メモリ手段に対してデータの読み出し及び書き込みを行うコントローラとを備え、
上記不揮発性メモリ手段には、他の上記不揮発性メモリ手段と区別することができる不揮発性メモリ識別情報が記憶されていること
を特徴とするデータ記憶装置。
【請求項２】
上記不揮発性メモリ識別情報は、予め工場出荷時に記憶されていること
を特徴とする請求項１記載のデータ記憶装置。
【請求項３】
上記不揮発性メモリ識別情報は、他の上記不揮発性メモリ手段と区別することができる情報が記録された静止画像データであること
を特徴とする請求項１記載のデータ記憶装置
【請求項４】
上記不揮発性メモリ識別情報は、他の上記不揮発性メモリ手段と区別することができるディレクトリのファイル名が記録されていること
を特徴とする請求項1記載のデータ記憶装置。
【請求項５】
上記不揮発性メモリ識別情報は、他の上記不揮発性メモリ手段と区別することができる情報が記録されたテキストデータであること
を特徴とする請求項１記載のデータ記憶装置。
【請求項６】
上記コントローラは、複数の上記不揮発性メモリ手段と１対１に対応して複数個備えられており、
上記選択スイッチは、複数の上記コントローラの前段に設けられていること
を特徴とする請求項１記載のデータ記憶装置。
【請求項７】
少なくとも一つの上記コントローラは、パラレルにデータの送受信を行うパラレルデータ送受信手段を備えること
を特徴とする請求項６記載のデータ記憶装置。
【請求項８】
上記コントローラは、論理アドレスを物理アドレスに変換するアドレス変換手段を備えること
を特徴とする請求項７記載のデータ記憶装置。
【請求項９】
ホスト機器に対して着脱自在に取り付けられるリムーバブルなデータ記憶装置において、
ホスト機器から取り外された状態であっても記憶しているデータが消去されない複数の不揮発性メモリ手段と、
ユーザにより切換操作がされ、１つの上記不揮発性メモリ手段を選択する選択スイッチと、
上記ホスト機器に装着されているときに当該ホスト機器との間でデータの送受信を行うインタフェース部と、
上記インタフェース部を介して送信されたデータに基づき動作するとともに、上記選択スイッチにより選択された１つの不揮発性メモリ手段に対してデータの読み出し及び書き込みを行うコントローラとを備え、
上記不揮発性メモリ手段には、他の上記不揮発性メモリ手段と区別することができる不揮発性メモリ識別情報が記憶されており、該不揮発性メモリ識別情報は音声データであること
を特徴とするデータ記憶装置。
【請求項１０】
上記不揮発性メモリ識別情報は、予め工場出荷時に記憶されていることを特徴とする請求項９記載のデータ記憶装置。
【請求項１１】
上記コントローラは、複数の上記不揮発性メモリ手段と１対１に対応して複数個備えられており、
上記選択スイッチは、複数の上記コントローラの前段に設けられていること
を特徴とする請求項９記載のデータ記憶装置。
【請求項１２】
少なくとも一つの上記コントローラは、パラレルにデータの送受信を行うパラレルデータ送受信手段を備えること
を特徴とする請求項１１記載のデータ記憶装置。
【請求項１３】
上記コントローラは、論理アドレスを物理アドレスに変換するアドレス変換手段を備えること
を特徴とする請求項１２記載のデータ記憶装置。
【発明の詳細な説明】
【技術分野】
【０００１】
本発明は、ホスト機器に対して着脱自在に取り付けられるリムーバブルなデータ記憶装置に関する。
【背景技術】
【０００２】
ＮＡＮＤ型のフラッシュメモリを利用したアプリケーションとして、いわゆるメモリカードと呼ばれる、リムーバブルな小型ＩＣメモリ装置が知られている（例えば、特許文献１参照。）。メモリカードは、静止画像データ、動画像データ、音声データ、音楽データ等の各種デジタルデータを格納することができ、例えば、情報携帯端末、デスクトップ型コンピュータ、ノート型コンピュータ、携帯電話機、オーディオ装置、家電装置等々のホスト機器に、外部記憶メディアとして用いられる。
【０００３】
近年、ＮＡＮＤ型のフラッシュメモリの開発が進み、急速な勢いで高容量化が進められている。それに合わせて、１つのメモリカードで記憶可能なデータ量も急速に大きくなっている。
【０００４】
ところが、メモリカードは、適用されるファイルシステムによって、記録容量の上限が制限されてしまう。高容量化が図られたフラッシュメモリをメモリカードに適用したとしても、従来のファイルシステムと互換をとるには、その記録容量の上限を超えることはできない。従って、もし、メモリカードの容量を従来のファイルシステムの管理容量の上限を超えて用いたいのであれば、そのメモリカードには新たなファイルシステムを適用しなければならない。
【０００５】
しかしながら、新たなファイルシステムが適用されたメモリカードを使用する場合、通常、ホスト機器のオペレーションシステムを変更しなければならない。ホスト機器のオペレーションシステムを変更することは、はなはだ面倒な作業であり、負担が大きい。
【０００６】
そのため、従来のファイルシステムの管理容量を超えた大容量のメモリカードを提供する場合、ホスト機器にシステム変更をさせずに、そのメモリカードを利用できるようにすることが望ましい。
【０００７】
また、メモリカード内に記録したデータの管理を行う場合、１つのメモリカード内の記憶領域を複数に分割し、分割した各領域をそれぞれ独立のデバイスとして認識をさせると便利であることがある。例えば、仕事上のデータとプライベートのデータとを同一のメモリカードに記憶させている場合、１つのメモリカードの記憶領域が複数に分割されており、仕事上のデータとプライベートのデータとをまったく別のデバイスに格納しているように取り扱えると、非常に便利である。
【０００８】
以上のようなことが考慮されたメモリカードとして、内部に複数のフラッシュメモリを設け、そのフラッシュメモリを外部の切換スイッチで切り換えて利用できるようにしたスイッチ切換型のメモリカードが提案されている（例えば、特許文献２参照。）。このスイッチ切換型のメモリカードでは、外部のスイッチの切り換えにより、ホスト機器に対して内部の複数の記録領域をそれぞれ独立のデバイスとして認識させることができる。また、このスイッチ切換型のメモリカードでは、１つのパッケージ内の全体の記録容量を、ファイルシステムの管理容量の上限より大きくすることができる。
【０００９】
【特許文献１】特開平１０−３４０５７５号公報
【特許文献２】特開平５−２３３４３９号公報
【発明の開示】
【発明が解決しようとする課題】
【００１０】
しかしながら、このような従来のスイッチ切換型のメモリカードでは、ホスト機器に装着した状態では、現在どのフラッシュメモリを選択しているのかをユーザが判断できない。つまり、ホスト機器に装着した後にどの記録領域を選択しているのかがわからなくなった場合には、いちいちメモリカードをホスト機器から取り外してスイッチの状態を確認しなければならない。
【００１１】
本発明は以上のような実情を鑑みてなされたものであり、さまざまなホスト機器に対して着脱自在に取り付けられ、リムーバブルなデータ記憶装置において、ホスト機器に装着した状態で、内部の複数の記憶領域のうち、現在どの記憶領域をユーザが選択しているかをユーザが認識できるようにすることを目的とする。
【課題を解決するための手段】
【００１２】
本発明に係るデータ記憶装置は、上記目的を達成するために、ホスト機器に対して着脱自在に取り付けられるリムーバブルなデータ記憶装置において、ホスト機器から取り外された状態であっても記憶しているデータが消去されない複数の不揮発性メモリ手段と、複数の接点が設けられており、ユーザにより切換操作がされ、１つの上記不揮発性メモリ手段を選択する選択スイッチと、上記ホスト機器に装着されているときに当該ホスト機器との間でデータの送受信を行うインタフェース部と、上記インタフェース部を介して送信されたデータに基づき動作するとともに、選択スイッチにより選択された１つの不揮発性メモリ手段に対してデータの読み出し及び書き込みを行うコントローラとを備え、上記不揮発性メモリ手段は、他の上記不揮発性メモリ手段と区別することができる不揮発性メモリ識別情報を備えることを特徴とする。
【００１３】
また、本発明に係るデータ記憶装置は、ホスト機器に対して着脱自在に取り付けられるリムーバブルなデータ記憶装置において、ホスト機器から取り外された状態であっても記憶しているデータが消去されない複数の不揮発性メモリ手段と、ユーザにより切換操作がされ、１つの上記不揮発性メモリ手段を選択する選択スイッチと、上記ホスト機器に装着されているときに当該ホスト機器との間でデータの送受信を行うインタフェース部と、上記インタフェース部を介して送信されたデータに基づき動作するとともに、上記選択スイッチにより選択された１つの不揮発性メモリ手段に対してデータの読み出し及び書き込みを行うコントローラとを備え、上記不揮発性メモリ手段には、他の上記不揮発性メモリ手段と区別することができる不揮発性メモリ識別情報が記憶されており、該不揮発性メモリ識別情報は音声データであることを特徴とする。
【発明の効果】
【００１４】
本発明に係るデータ記憶装置によれば、不揮発性メモリ識別情報を備えていることにより、ホスト機器に装着した状態で上記選択スイッチにより選択されている不揮発性メモリを容易に認識することができる。
【００１５】
また、本発明に係るデータ記憶装置によれば、上記不揮発性メモリ識別情報として音声データを備えているので、ホスト機器に装着した状態で上記選択スイッチにより選択されている不揮発性メモリを音声により容易に認識することができる。
【発明を実施するための最良の形態】
【００１６】
以下、本発明の実施の形態として、本発明を適用したリムーバブルな小型ＩＣメモリ装置について説明する。
【００１７】
なお、本発明の実施の形態として説明する小型ＩＣメモリ装置のことを、以下、メモリカードと呼ぶものとする。また、このメモリカードが接続されるデータ処理装置のことを、以下、ホスト機器と呼ぶものとする。
【００１８】
まず、実施の形態のメモリカードについて説明をする。図１に、ホスト機器及びメモリカードの外観斜視図を示す。図２に、本発明の実施の形態のメモリカード１を表面側からみた斜視図を示し、図３に本発明の実施の形態のメモリカード１を裏面側からみた斜視図を示す。
【００１９】
メモリカード１は、不揮発性の半導体メモリ（ＩＣメモリ）を内部に有している。不揮発性の半導体メモリは、当該カードがホスト機器から取り外された場合であってもデータを保持することができる。メモリカード１は、内部の半導体メモリ内に、静止画像データ、動画像データ、音声データ、音楽データ等の各種デジタルデータを格納することができる。メモリカード１は、例えば、情報携帯端末、デスクトップ型コンピュータ、ノート型コンピュータ、携帯電話機、オーディオ装置、家電装置等々のホスト機器２の外部記憶メディアとして機能する。メモリカード１は、ホスト機器２に設けられているスロット３に挿入された状態で使用される。メモリカード１のスロット３に対する挿入及び抜出は、ユーザが手動で自在に行うことができる。そのため、例えば、あるホスト機器２に挿入されていたメモリカード１を抜き出して、他のホスト機器２に挿入することもできるため、異なるホスト機器間のデータのやり取りに用いることが可能である。
【００２０】
メモリカード１は、主面（表面１ａ及び裏面１ｂ）が略長方形とされた薄板形状となっている。メモリカード１は、主面が、表面１ａと裏面１ｂとに区別される。裏面１ｂの長手方向の一端には、１０個の平面電極（接続端子群４）が、短辺方向に一列に並んで設けられている。また、電極と電極との各間には、裏面１ｂから垂直に立ち上がったガード５が設けられ、接続端子への指等の接触防止が図られている。
【００２１】
メモリカード１内には、第１のＩＣメモリと第２のＩＣメモリの２つのＩＣメモリが設けられている。メモリカード１では、２つのＩＣメモリのうち、一方のＩＣメモリ（例えば、第１のＩＣメモリ）の名称が“メモリＡ”と定義されており、他方のＩＣメモリ（例えば、第２のＩＣメモリ）の名称が“メモリＢ”と定義されている。
【００２２】
メモリカード１の主面１ａには、メモリＡとメモリＢとの合計の容量を示した第１のマーク６と、メモリＡの容量を示した第２のマーク７と、メモリＢの容量を示した第３のマーク８とが記載されている。メモリカード１には、このように個々のＩＣメモリのデータ容量が筐体の外部に記載されているため、ユーザが個々のＩＣメモリのデータ容量を認識することができる。
【００２３】
また、メモリカード１の裏面１ｂには、２接点切り換え式の第１のスライドスイッチ９が設けられている。第１のスライドスイッチ９は、メモリ選択用のスイッチとして機能する。第１のスライドスイッチ９は、ユーザにより操作がされる可動部９ａが、裏面１ｂの長手方向に移動可能とされている。また、第１のスライドスイッチ９は、裏面１ｂの長手方向の略中央に配置され、裏面１ｂの短辺方向の一方の端部側に近接した位置に配置されている。
【００２４】
このような第１のスライドスイッチ９では、可動部９ａが一方の端部側（例えば、接続端子群４が設けられていない側の端部）に移動されている場合にはメモリＡを選択し、可動部９ａが他方の端部側（例えば、接続端子群４が設けられている側の端部）に移動されている場合にはメモリＢを選択する。
【００２５】
また、メモリカード１の裏面１ｂの第１のスライドスイッチ９の近傍には、第１のスライドスイッチ９の可動部９ａをどちらの方向に移動させれば、メモリＡが選択されるか、或いは、メモリＢが選択されるかをユーザに認識させるメモリの選択方向マーク９ｂが記載されている。具体的には、選択方向マーク９ｂは、可動部９ａの各移動位置の近傍付近に、対応するメモリ名称（“Ａ”又は“Ｂ”）を示した記載がされている。
【００２６】
また、メモリカード１の裏面１ｂには、２接点切り換え式の第２のスライドスイッチ１０が設けられている。第２のスライドスイッチ１０は、ＩＣメモリに対するデータの書き込みの禁止状態と、書き込みの許可状態とを切り換えるスイッチとして機能する。
【００２７】
第２のスライドスイッチ１０は、第１のスライドスイッチ９と同一の大きさ及び形状となっている。第２のスライドスイッチ１０は、ユーザにより操作がされる可動部１０ａが、裏面１ｂの長手方向に移動可能とされている。第２のスライドスイッチ１０は、裏面１ｂの長手方向の配置が、接続端子群４と第１のスライドスイッチ９との間とされており、裏面１ｂの短辺方向の配置が第１のスライドスイッチ９と同一の位置とされている。
【００２８】
第２のスライドスイッチ１０は、可動部１０ａが一方の端部側（例えば、接続端子群４が設けられていない側の端部）に移動されている場合には書き込みを可能とし、可動部１０ａが他方の端部側（例えば、接続端子群４が設けられている側の端部）に移動されている場合には書き込みを禁止する。
【００２９】
また、メモリカード１の裏面１ｂの第２のスライドスイッチ１０の近傍には、第２のスライドスイッチ１０の可動部１０ａをどちらに移動させれば、選択されているＩＣメモリに対するデータの書き込みの禁止状態かをユーザに認識させる書込み禁止方向マーク１０ｂが記載されている。具体的には、書き込み禁止方向マーク１０ｂは、可動部１０ａの近傍付近に、書き込み禁止状態になる移動位置を示す矢印が記載されている。
【００３０】
図４に、本発明の実施の形態のメモリカード１の内部ブロック構成図を示す。
メモリカード１は、内部に、コントローラ１１と、第１のＩＣメモリ（メモリＡ）１２-１と、第２のＩＣメモリ（メモリＢ）１２-２と、メモリ切換スイッチ１３と、誤消去防止スイッチ１４とを備えている。
【００３１】
メモリカード１の接続端子群４と、ホスト機器２のスロット３内に設けられた接続端子群には、シリアルデータ端子ＳＤ，バスステート端子ＢＳ、クロック端子ＣＬＫ及び挿抜検出端子ＩＮＳとが含まれている。メモリカード１がホスト機器２に接続されると、これらの端子が互いに接続する。シリアルデータ端子ＳＤには、メモリカード１内のＩＣメモリに記録するシリアルデータ又はこのＩＣメモリから読み出されるシリアルデータが伝送されるとともに、各種の制御データも伝送される。バスステート端子ＢＳには、シリアルデータ端子ＳＤを介して伝送されるシリアルデータのステートを示すバスステート信号が伝送される。クロック端子ＣＬＫには、シリアルデータ端子ＳＤを介して伝送されるシリアルデータのクロックタイミングを示すクロック信号が伝送される。挿抜検出端子ＩＮＳは、ホスト機器２にメモリカード１が挿入されているか、挿入されていないかをホスト機器２側から判断するために設けられた端子である。
【００３２】
コントローラ１１は、当該メモリカード１がホスト機器２に挿入されている状態のときに、シリアルデータ端子ＳＤ，バスステート端子ＢＳ及びクロック端子ＣＬＫを介して、ホスト機器２との間でシリアルデータ、バスステート信号及びクロック信号の伝送を行う。コントローラ１１は、ホスト機器２から供給されるシリアルデータ（実データ及び制御データ）に基づき、第１のＩＣメモリ１２-１及び第２のＩＣメモリ１２-２に対する、データの書込及び読出の制御を行う。また、コントローラ１１は、コントロール端子ＣＮＴを有しており、このコントロール端子ＣＮＴからＩＣメモリに対するデータの書き込み及び読出しのタイミングを示すメモリコントロール信号を発生する。コントローラ１１は、第１のＩＣメモリ１２-１及び第２のＩＣメモリ１２-２に対する書込及び読出を行うときに当該メモリコントロール信号をＬｏｗとし、書込及び読出を行っていないときには当該メモリコントロール信号をＨｉｇｈとする。
【００３３】
第１のＩＣメモリ１２-１及び第２のＩＣメモリ１２-２は、ＮＡＮＤ型のフラッシュメモリ等の不揮発性の半導体メモリである。第１のＩＣメモリ１２-１及び第２のＩＣメモリ１２-２は、それぞれ独立したデバイス（ＩＣ）として構成されている。第１のＩＣメモリ１２-１及び第２のＩＣメモリ１２-２は、ともにバス（アドレスバス、データバス及び制御バス）１８を介してコントローラ１１に接続されている。
【００３４】
第１のＩＣメモリ１２-１及び第２のＩＣメモリ１２-２には、チップセレクト端子ＣＳが設けられている。第１のＩＣメモリ１２-１及び第２のＩＣメモリ１２-２は、チップセレクト端子ＣＳに供給される信号（チップセレクト信号）が、Ｌｏｗとなっているときにコントローラ１１からのデータの書込及び読出を可能とし、Ｈｉｇｈとなっているときにはコントローラ１１からのデータの書込及び読出を受け付けない。
【００３５】
メモリ切換スイッチ１３は、筐体の外部に設けられた第１のスライドスイッチ９と連動して切り換わるスイッチである。メモリ切換スイッチ１３は、１つの固定接点１３ａと、２つの可動接点（第１の可動接点１３ｂ及び第２の可動接点１３ｃ）を有している。メモリ切換スイッチ１３は、第１のスライドスイッチ９の可動部９ａのスライド動作に連動して、固定接点１３ａと、いずれか１つの可動接点１３ｂ、１３ｃとを接続する。固定接点１３ａは、コントローラ１１のコントロール端子ＣＮＴと接続されている。第１の可動接点１３ｂは、第１のＩＣメモリ１２-１のチップセレクト端子ＣＳに接続されているとともに、第１のプルアップ抵抗１５を介して電源端子Ｖｃｃに接続されている。第２の可動接点１３ｃは、第２のＩＣメモリ１２-２のチップセレクト端子ＣＳに接続されているとともに、第２のプルアップ抵抗１６を介して電源端子Ｖｃｃに接続されている。
【００３６】
このようなメモリ切換スイッチ１３は、第１のスライドスイッチ９の可動部９ａが一方の端部側の固定位置に切り換えられた場合には固定接点１３ａと第１の可動接点１３ｂとを接続し、第１のスライドスイッチ９の可動部９ａが一方の端部側とは反対の他方の端部側の固定位置に切り換えられた場合には固定接点１３ａと第２の可動接点１３ｃとを接続する。
【００３７】
従って、第１のスライドスイッチ９の可動部９ａが一方の端部側の固定位置に切り換えられている場合には、コントローラ１１からのメモリコントロール信号が第１のＩＣメモリ１２-１のチップセレクト端子ＣＳに供給され、第２のＩＣメモリ１２-２のチップセレクト端子ＣＳには常にＨｉｇｈレベルが供給される。つまり、第１のスライドスイッチ９の可動部９ａが一方に端部側の固定位置に切り換えられている場合には、第１のＩＣメモリ１２-１に対してのみデータの書込及び読出が行われる。
【００３８】
また、第１スライドスイッチ９の可動部９ａが他方の端部側の固定位置に切り換えられている場合には、コントローラ１１からのメモリコントロール信号が第２のＩＣメモリ１２-２のチップセレクト端子ＣＳに供給され、第１のＩＣメモリ１２-１のチップセレクト端子ＣＳには常にＨｉｇｈレベルが供給される。つまり、第１のスライドスイッチ９の可動部９ａが他方の端部側の固定位置に切り換えられている場合には、第２のＩＣメモリ１２-２に対してのみデータの書込及び読出が行われる。
【００３９】
以上のように、メモリ切換スイッチ１３は、第１のスライドスイッチ９に連動して動作し、内部の２つのＩＣメモリのうちいずれか１つのＩＣメモリを選択した状態とする。
【００４０】
誤消去防止スイッチ１４は、筐体の外部に設けられた第２のスライドスイッチ１０と連動して切り換わるスイッチである。誤消去防止スイッチ１４は、１つの固定接点１４ａと、２つの可動接点（第１の可動接点１４ｂ及び第２の可動接点１４ｃ）を有している。誤消去防止スイッチ１４は、第２のスライドスイッチ１０の可動部１０ａのスライド動作に連動して、固定接点１４ａと、いずれか１つの可動接点１４ｂ、１４ｃとを接続する。固定接点１４ａは、コントローラ１１と接続されている。第１の可動接点１４ｂは、第３のプルアップ抵抗１９を介して電源端子Ｖｃｃに接続されている。第２の可動接点１４ｃは、グランドに接続されている。
【００４１】
このような誤消去防止スイッチ１４は、第２のスライドスイッチ１０の可動部１０ａが一方の端部側の固定位置に切り換えられた場合には固定接点１４ａと第１の可動接点１４ｂとを接続し、第２のスライドスイッチ１０の可動部１０ａが一方の端部側とは反対の他方の端部側の固定位置に切り換えられた場合には固定接点１４ａと第２の可動接点１４ｃとを接続する。
【００４２】
従って、誤消去防止スイッチ１４は、スライドスイッチ１０の可動部１０ａが一方の端部側の固定位置に切り換えられている場合には、コントローラ１１に対してＨｉｇｈを与えることができ、可動部１０ａが他方の端部側の固定位置に切り換えられている場合には、コントローラ１１に対してＬｏｗを与えることができる。コントローラ１１は、ホスト機器２からメモリカード１の状態を確認するためのレジスタ読み出し命令を受信すると、誤消去防止スイッチ１４の状態を内部レジスタに書き込み、このレジスタの内容をシリアルデータ線を介してホスト機器２に返送する。ホスト機器２は、この内容に基づいて書き込み禁止状態か書き込み許可状態かを判断する。
【００４３】
次に、メモリカード１の第１のＩＣメモリ１２-１と第２のＩＣメモリ１２-２の２つのＩＣメモリについて説明をする。
【００４４】
メモリカード１には、ユーザが使用する機器に応じてファイルの保存場所を指定しなくても済むように、静止画像を記憶するためのディレクトリ、音声データを記憶するためのディレクトリ、音楽データを記憶するためのディレクトリ、テキストデータを記憶するためのディレクトリなどが、工場出荷時に、記録されている。
【００４５】
そこで、図５において、第１のＩＣメモリ（メモリＡ）１２-１のディレクトリ構成を示す。ルートディレクトリ２０内には、メモリカードであることを示したデータが格納されているメモリカード認識ファイル２１と、静止画像ディレクトリ２２、音声ディレクトリ２３、音楽ディレクトリ２４、テキストディレクトリ２５、選択されているＩＣメモリがどちらであるかが認識できるメモリＡ認識ディレクトリ２６がある。
【００４６】
静止画像ディレクトリ２２には、メモリＡ認識静止画像ファイル２２-Ａが格納されており、画像記録装置などで撮影された静止画データなどが格納される。
【００４７】
音声ディレクトリ２３には、メモリＡ認識音声ファイル２３-Ａが格納されており、音声記録装置などで記録された音声データなどが格納される。
【００４８】
音楽ディレクトリ２４には、メモリＡ認識音楽ファイル２４-Ａが格納されており、録音装置などで記録された音楽データが格納される。
【００４９】
テキストディレクトリ２５には、メモリＡ認識テキストファイル２５-Ａが格納されており、コンピュータなどで記録されたテキストファイルが格納される。
【００５０】
メモリＡ認識ディレクトリ２６には、第１のＩＣメモリ（メモリＡ）１２-１であることが認識できるようなファイル名が付けられている。具体的には、図６に示すように、メモリＡ認識ディレクトリ２６のファイル名を“This is A memory”とする。なお、ファイル名は上記に限られたものではなく、メモリＡが認識できるものであればよい。
【００５１】
また、メモリＡ認識静止画像ファイル２２-Ａには、選択されているＩＣメモリが第１のＩＣメモリ（メモリＡ）１２-１であることが認識できるような静止画像データが格納されている。具体的には、図７で示すように、ホスト機器の表示部に“This is A memory”と表示されて、メモリＡであることが認識できるものである。なお、表示される静止画像データは、上記に限られたものではなく、メモリＡが認識できるものであればよい。
【００５２】
さらに、メモリＡ認識音声ファイル２３-Ａには、選択されているＩＣメモリが第１のＩＣメモリ（メモリＡ）１２-１であることが認識できるような音声データが格納されている。具体的には、“This is A memory”という音声メッセージが再生されて、メモリＡが認識できるものである。なお、再生される音声メッセージは、上記に限られたものではなく、メモリＡが認識できるものであればよい。
【００５３】
メモリＡ認識音楽ファイル２４-Ａには、選択されているＩＣメモリが第１のＩＣメモリ（メモリＡ）１２-１であることが認識できるような音楽データが格納されている。具体的には、“This is A memory”という音楽メッセージが再生されて、メモリＡが認識できるものである。なお、再生される音楽メッセージは、上記に限られたものではなく、メモリＡが認識できるものであればよい。
【００５４】
また、メモリＡ認識テキストファイル２５-Ａには、選択されているＩＣメモリが第１のＩＣメモリ（メモリＡ）１２-１であることが認識できるようなテキストデータが格納されている。具体的には、図８のように、ホスト機器の表示部に、“This is A memory”と記載されたテキストデータが表示されて、メモリＡであることが認識できるものである。なお、表示されるテキストデータは、上記に限られたものではなく、メモリＡが認識できるものであればよい。
【００５５】
次に、図９に第２のＩＣメモリ（メモリＢ）１２-２のディレクトリ構成を示す。なお、図５の第１のＩＣメモリ（メモリＢ）１２-１と同一の構成を持つものには、同一の名称と符号を付した。ルートディレクトリ２０内には、メモリカードであることを示したデータが格納されているメモリカード認識ファイル２１と、静止画像ディレクトリ２２、音声ディレクトリ２３、音楽ディレクトリ２４、テキストディレクトリ２５、選択されているＩＣメモリがどちらであるかが認識できるメモリＢ認識ディレクトリ２７がある。
【００５６】
静止画像ディレクトリ２２には、メモリＢ認識静止画像ファイル２２-Ｂが格納されており、画像記録装置などで撮影された静止画データなどが格納される。
【００５７】
音声ディレクトリ２３には、メモリＢ認識音声ファイル２３-Ｂが格納されており、音声記録装置などで記録された音声データなどが格納される。
【００５８】
音楽ディレクトリ２４には、メモリＢ認識音楽ファイル２４-Ｂが格納されており、録音装置などで記録された音楽データが格納される。
【００５９】
テキストディレクトリ２５には、メモリＢ認識テキストファイル２５-Ｂが格納されており、コンピュータなどで記録されたテキストファイルが格納される。
【００６０】
メモリＢ認識ディレクトリ２７には、第２のＩＣメモリ（メモリＢ）１２-２であることが認識できるようなファイル名が付けられている。具体的には、図１０に示すように、メモリＢ認識ディレクトリ２７のファイル名を“This is B memory”とする。なお、ファイル名は上記に限られたものではなく、メモリＢが認識できるものであればよい。
【００６１】
また、メモリＢ認識静止画像ファイル２２-Ｂには、選択されているＩＣメモリが第２のＩＣメモリ（メモリＢ）１２-２であることが認識できるような静止画像データが格納されている。具体的には、図１１で示すように、ホスト機器の表示部に“This is B memory”と表示されて、メモリＢであることが認識できるものである。なお、表示される静止画像データは、上記に限られたものではなく、メモリＢが認識できるものであればよい。
【００６２】
さらに、メモリＢ認識音声ファイル２３-Ｂには、選択されているＩＣメモリが第２のＩＣメモリ（メモリＢ）１２-２であることが認識できるような音声データが格納されている。具体的には、“This is B memory”という音声メッセージが再生されて、メモリＢが認識できるものである。なお、再生される音声メッセージは、上記に限られたものではなく、メモリＢが認識できるものであればよい。
【００６３】
メモリＢ認識音楽ファイル２４-Ｂには、選択されているＩＣメモリが第２のＩＣメモリ（メモリＢ）１２-２であることが認識できるような音楽データが格納されている。具体的には、“This is B memory”という音楽メッセージが再生されて、メモリＢが認識できるものである。なお、再生される音楽メッセージは、上記に限られたものではなく、メモリＢが認識できるものであればよい。
【００６４】
また、メモリＢ認識テキストファイル２５-Ｂには、選択されているＩＣメモリが第２のＩＣメモリ（メモリＢ）１２-２であることが認識できるようなテキストデータが格納されている。具体的には、図１２のように、ホスト機器の表示部に、“This is B memory”と記載されたテキストデータが表示されて、メモリＢであることが認識できるものである。なお、表示されるテキストデータは、上記に限られたものではなく、メモリＢが認識できるものであればよい。
【００６５】
続いて、本実施の形態のメモリカードとホスト機器を用いて、ユーザが現在選択されているＩＣメモリを認識するまでの動作を説明する。
【００６６】
まず、メモリカード１において、第１のスライドスイッチ９の可動部９ａが一方の端部側に移動されてメモリＡが選択されていて、ホスト機器２に挿入されているとする。このとき、メモリカード１では、メモリ切換スイッチ１３の固定接点１３ａが可動接点１３ｂと接続されている。
【００６７】
今、ホスト機器としてデスクトップ型コンピュータのメモリカード１用のコネクタに、メモリカード１が挿入されているとする。デスクトップ型コンピュータを操作することにより、メモリカード１の選択されたＩＣメモリに記憶されているデータを表示させると、デスクトップ型コンピュータのモニタには、図６のように“This is A memory”というファイル名が表示され、ユーザは現在選択されているＩＣメモリが第１のＩＣメモリ（メモリＡ）１２-１であることが、メモリカード１をコンピュータから抜き出すことなく容易に認識できる。
【００６８】
また、デジタルスチルカメラなどの画像記録再生装置にメモリカード１が挿入されているとすると、デジタルスチルカメラを操作することにより、メモリカード１の選択されたＩＣメモリに記憶されている画像データを再生表示させると、図７のような画像が表示される。これにより、ユーザは現在選択されているＩＣメモリが第１のＩＣメモリ（メモリＡ）１２-１であることが、メモリカード１をデジタルスチルカメラから抜き出すことなく容易に認識できる。
【００６９】
また、音声録音再生装置においても、再生操作することにより、メモリカード１の選択されたＩＣメモリに記憶されている音声データが再生されて、ユーザは聴覚により現在選択されているＩＣメモリが第１のＩＣメモリ（メモリＡ）１２-１であることが、メモリカード１を音声録音再生装置から抜き出すことなく容易に認識できる。
【００７０】
次に、メモリカード１において、第１のスライドスイッチ９の可動部９ａが他方の端部側（例えば、接続端子群４が設けられている側の端部）に移動されてメモリＢが選択されていて、ホスト機器２に挿入されているとする。このとき、メモリカード１では、メモリ切換スイッチ１３の固定接点１３ａが可動接点１３ｃと接続されている。
【００７１】
今、ホスト機器としてデスクトップ型コンピュータのメモリカード１用のコネクタに、メモリカード１が挿入されているとする。コンピュータを操作することにより、メモリカード１の選択されたＩＣメモリに記憶されているデータを表示させると、コンピュータのモニタには、図１０のように“This is B memory”というファイル名が表示され、ユーザは現在選択されているＩＣメモリが第２のＩＣメモリ（メモリＢ）１２-２であることが、メモリカード１をコンピュータから抜き出すことなく容易に認識できる。
【００７２】
また、デジタルスチルカメラなどの画像記録再生装置にメモリカード１が挿入されているとすると、デジタルスチルカメラを操作することにより、メモリカード１の選択されたＩＣメモリに記憶されている画像データを再生表示させると、図１１のような画像が表示される。これにより、ユーザは現在選択されているＩＣメモリが第２のＩＣメモリ（メモリＢ）１２-２であることが、メモリカード１をデジタルスチルカメラから抜き出すことなく容易に認識できる。
【００７３】
また、音声録音再生装置においても、再生操作することにより、メモリカード１の選択されたＩＣメモリに記憶されている音声データが再生されて、ユーザは聴覚により現在選択されているＩＣメモリが第２のＩＣメモリ（メモリＢ）１２-２であることが、メモリカード１を音声録音再生装置から抜き出すことなく容易に認識できる。
【００７４】
上述のように、情報携帯端末、デスクトップ型コンピュータ、ノート型コンピュータ、携帯電話機、オーディオ装置、家電装置等々のホスト機器の外部記憶メディアとして機能するメモリカードは、ホスト機器の操作により、メモリカードに予め記憶されたデータを参照することによって、現在選択されているＩＣメモリがどちらであるか容易に認識することができる。
【００７５】
なお、上述のように、ホスト機器の外部記憶メディアとして機能するメモリカードは、ユーザによるホスト機器の操作に限らず、メモリカードがコネクタに挿入された際に、例えば、自動的にメモリを認識させるデータ、例えば、音声データを再生するようにしてもよい。
【００７６】
なお、今回の実施例で示した第１のＩＣメモリ１２-１と第２のＩＣメモリ１２-２とを区別するデータは、工場出荷時に予め記憶されており、読み取り専用にすることによって、ユーザは誤って消去したり、書き換える恐れを防止することができる。また、第１のＩＣメモリ１２-１と第２のＩＣメモリ１２-２とを区別するデータを、一方のＩＣメモリだけに格納することによって、他方にはＩＣメモリ認識ファイルがない理由から、ユーザが現在選択されているＩＣメモリを認識することもできるようにしてもよい。
【００７７】
また、メモリカード１は、上述のようにコントローラ１１の後段にメモリ切換スイッチ１３を設け、第１のＩＣメモリ（メモリＡ）１２-１と第２のＩＣメモリ（メモリＢ）１２-２を切換選択できるようにしたが、例えば、図１３に示すメモリカード３０のように、コントローラを２つ設け、切換スイッチをこの２つのコントローラの前段に設け切り換えるようにしてもよい。なお、メモリカード１と同様の構成の部分については、同様の符号を付しその説明を省略する。
【００７８】
メモリカード３０は、図１３に示すように、内部に、第１のコントローラ１１と、第２のコントローラ３１と、第１のＩＣメモリ（メモリＡ）１２-１と、第２のＩＣメモリ（メモリＢ）１２-２と、コントローラ切換スイッチ３２と、誤消去防止スイッチ１４とを備えている。
【００７９】
また、メモリカード３０は、ホスト機器２のコネクタ３内に設けられた接続端子群と接続される接続端子群３３が設けられている。接続端子群３３とホスト機器２のスロット３内に設けられた接続端子群とには、少なくとも、２つのシリアルデータ端子ＳＤ、バスステート端子ＢＳ、クロック端子ＣＬＫ及び挿抜検出端子ＩＮＳとが含まれている。メモリカード１がホスト機器２に接続されると、これらの端子が互いに接続される。
【００８０】
第２のコントローラ３１は、例えば、複数のデータを同時に送受信するパラレルデータ転送に対応したコントローラである。第２のコントローラ３１は、第２のＩＣメモリ１２-２と接続されており、ホスト機器２から供給されるデータに基づき、第２のＩＣメモリ１２-２に対するデータの書込み及び読み出しの制御を行う。そのため、第２のコントローラ３１は、シリアルデータ転送のみに対応している第１のコントローラ１１と違い、パラレルインターフェース対応機器とのデータの送受信を可能としている。
【００８１】
コントローラ切換スイッチ３２は、筐体の外部に設けられた第１のスライドスイッチ９と連動して切り換わるスイッチであるが、各ＩＣメモリ１２-１、１２-２の切換を行う代わりに、第１のコントローラ１１と第２のコントローラ３１とを切り換える。コントローラ切換スイッチ３２は、一方のシリアルデータ端子ＳＤと２つのコントローラ１１、３１とを切り換えるスイッチ３４と、他方のシリアルデータ端子ＳＤと２つのコントローラ１１、３１とを切り換えるスイッチ３５と、バスステート端子ＢＳと２つのコントローラ１１、３１とを切り換えるスイッチ３６と、クロック端子ＣＬＫと２つのコントローラ１１、３１とを切り換えるスイッチ３７とから構成されている。
【００８２】
スイッチ３４は、接続端子群３３と接続された固定接点３４ａと、コントローラ１１と接続された第１の可動接点３４ｂと、コントローラ３１と接続された第２の可動接点３４ｃとから構成されている。スイッチ３４は、第１のスライドスイッチ９の可動部９ａのスライド動作に連動して固定接点３４ａと、いずれか１つの可動接点３４ｂ、３４ｃとを接続し、ホスト機器からの信号をいずれか１つのコントローラ１１，３１に供給する。
【００８３】
スイッチ３５〜３７は、スイッチ３４と同様に、接続端子群３３の各端子と接続された固定接点３５ａ〜３７ａと、それぞれコントローラ１１と接続された第１の可動接点３５ｂ〜３７ｂと、それぞれコントローラ３１と接続された第２の可動接点３５ｃ〜３７ｃとから構成されている。また、スイッチ３５〜３７は、スイッチ３４と同様に、第１のスライドスイッチ９の可動部９ａのスライド動作に連動して固定接点３５ａ〜３７ａと、いずれか１つの可動接点３５ｂ〜３５ｂと、可動接点３５ｃ〜３７ｃとを接続し、ホスト機器からの信号をいずれか１つのコントローラ１１，３１に供給する。つまり、４つのスイッチ３４〜３７は、第１のスライドスイッチ９と一体的に連動しており、一の端子のみ他の端子が接続されているコントローラとは別のコントローラと接続されていることはない構成となっている。
【００８４】
以上のように、コントローラ切換スイッチ３２は、第１のスライドスイッチ９に連動して動作し、内部の２つのコントローラのうちいずれか１つのコントローラを選択した状態とする。つまり、各コントローラに接続されたＩＣメモリを選択した状態としている。
【００８５】
メモリカード３０は、上述のような構成をしており、ユーザが現在選択されているＩＣメモリを認識するまでの動作は、メモリカード１のときと同様の動作で行うことができる。しかるに、メモリカード１、３０は、現在選択されているＩＣメモリを容易に認識することができる。
【００８６】
なお、メモリカード１、３０は、種々のホスト機器において現在選択されているＩＣメモリに記録されている、例えば、静止画データのみを再生するのではなく、音声データを再生させることにより、ホスト機器に備えられた表示部に表示された静止画データが見えにくい状況においてもユーザは聴覚により現在選択されているＩＣメモリを容易に認識できるようにしてもよい。
【００８７】
また、メモリカード３０は、パラレルデータ転送が可能なコントローラ３１が設けられていることについて述べたが、これに限らず、例えば、コントローラ３１に論理アドレスと物理アドレスの変換を行わせる論物変換の機能を備えたコントローラを設けることによって、外部記憶メディアとしてのメモリカードでの論物変換に対応するホスト機器によるデータを保存する第２のＩＣメモリ１２-２と、対応していないホスト機器によるデータを保存する第１のＩＣメモリ１２-１とするようにしてもよい。
【００８８】
また、本発明は上述した実施の形態のみに限定されるものではなく、本発明の要旨を逸脱しない範囲において種々の変更が可能であることは勿論である。
【図面の簡単な説明】
【００８９】
【図１】発明の実施の形態のメモリカード及びそのホスト機器の外観斜視図である。
【図２】発明の実施の形態のメモリカードを表面側から見た斜視図である。
【図３】発明の実施の形態のメモリカードを裏面側から見た斜視図である。
【図４】発明の実施の形態のメモリカードの内部ブロック図である。
【図５】第１のＩＣメモリのディレクトリ構成を示した図である。
【図６】第１のＩＣメモリに格納されたメモリＡ認識ディレクトリのファイル名を示した図である。
【図７】第１のＩＣメモリに格納された静止画像データを示した図である。
【図８】第１のＩＣメモリに格納されたテキストデータを示した図である。
【図９】第２のＩＣメモリのディレクトリ構成を示した図である。
【図１０】第２のＩＣメモリに格納されたメモリＢ認識ディレクトリのファイル名を示した図である。
【図１１】第２のＩＣメモリに格納された静止画像データを示した図である。
【図１２】第２のＩＣメモリに格納されたテキストデータを示した図である。
【図１３】本発明の第２の実施の形態のメモリカードの内部ブロック図である。
【符号の説明】
【００９０】
１，３０  メモリカード、２  ホスト機器、３  スロット、４，３３  接続端子群、５  ガード、６  第１のマーク、７  第２のマーク、８  第３のマーク、９  第１のスライドスイッチ、９ａ，１０ａ  可動部、９ｂ  選択方向マーク、１０  第２のスライドスイッチ、１０ｂ  書込み禁止方向マーク、１１，３１  コントローラ、１２-１  第１のＩＣメモリ、１２-２  第２のＩＣメモリ、１３  メモリ切換スイッチ、１４  誤消去防止スイッチ、２０  ルートディレクトリ、２２-Ａ  メモリＡ認識静止画像ファイル、２３-Ａ  メモリＡ認識音声ファイル、２４-Ａ  メモリＡ認識音楽ファイル、２５-Ａ  メモリＡ認識テキストファイル、２２-Ｂ  メモリＢ認識静止画像ファイル、２３-Ｂ  メモリＢ認識音声ファイル、２４-Ｂ  メモリＢ認識音楽ファイル、２５-Ｂ  メモリＢ認識テキストファイル、２６  メモリＡ認識ディレクトリ、２７  メモリＢ認識ディレクトリ、３２  コントローラ切換スイッチ、３４，３５，３６，３７  スイッチ
【図１】
2004326733.tif 000003
【図２】
2004326733.tif 000004
【図３】
2004326733.tif 000005
【図４】
2004326733.tif 000006
【図５】
2004326733.tif 000007
【図６】
2004326733.tif 000008
【図７】
2004326733.tif 000009
【図８】
2004326733.tif 000010
【図９】
2004326733.tif 000011
【図１０】
2004326733.tif 000012
【図１１】
2004326733.tif 000013
【図１２】
2004326733.tif 000014
【図１３】
2004326733.tif 000015